(57)【要約】【課題】カバー部材または気室部材のいずれか一方に不具合が生じた場合、その不具合が生じたカバー部材または気室部材の一方だけを交換可能にする。【解決手段】膨脹式救命胴衣（１）は、着用者の首の後ろから両胸にかけて着用するものであり、着用されるカバー部材（１０）と、気室部材（２０）とを取り外し可能に構成した。【選択図】図９
2005343392.tif 000002
【特許請求の範囲】
【請求項１】
首の後ろから両胸にかけて着用する膨脹式救命胴衣であって、
着用されるカバー部材と、気室部材とを取り外し可能に構成したことを特徴とする膨脹式救命胴衣。
【請求項２】
前記気室部材の容積を、左胸側と右胸側とで非対称に構成したことを特徴とする請求項１記載の膨脹式救命胴衣。
【請求項３】
前記カバー部材を、着用者に接触する内側材は柔軟性のある生地で構成し、外側材は外表面が耐久性、耐候性、耐摩耗性、耐貫通性などのある生地で構成したことを特徴とする請求項１または請求項２記載の膨脹式救命胴衣。
【請求項４】
前記気室部材を、２室に構成したことを特徴とする請求項１〜３のいずれかに記載の膨脹式救命胴衣。
【請求項５】
前記気室部材は、内部に設けた隔壁によって、膨脹状態にあるとき着用者に近い内側室と、着用者から遠い外側室との２室に構成したことを特徴とする請求項４記載の膨脹式救命胴衣。
【請求項６】
前記気室部材は、前記内側室または前記外側室の少なくとも一方に自動開栓式ガス充填装置を備えたことを特徴とする請求項５記載の膨脹式救命胴衣。
【請求項７】
前記気室部材は、前記内側室および前記外側室ともに、左胸側と右胸側とで容積を非対称に構成し、左胸側または右胸側いずれか容積の小さい側における前記内側室または前記外側室のいずれか一方に自動開栓式ガス充填装置を備え、かつ、左胸側または右胸側いずれか容積の大きい側における前記内側室または前記外側室の他方に手動開栓式ガス充填装置を備えたことを特徴とする請求項５記載の膨脹式救命胴衣。
【請求項８】
前記カバー部材は、非膨脹状態にある前記気室部材を内部に収納した閉鎖状態と、前記気室部材の膨脹にともなって開放される開放状態とを、開閉可能に構成したことを特徴とする請求項１〜７のいずれかに記載の膨脹式救命胴衣。
【請求項９】
前記カバー部材の左右両胸部の下端部と、前記気室部材の左右両胸部の下端部とを、着脱可能に構成したことを特徴とする請求項１〜８のいずれかに記載の膨脹式救命胴衣。
【発明の詳細な説明】
【技術分野】
【０００１】
この発明は、膨脹式救命胴衣に関するものである。
【背景技術】
【０００２】
一般に、人が海中や水中に落下した場合の救命胴衣（ライフジャケット）には、ガス充填装置（インフレータ）を備えた膨脹式救命胴衣がある。
【０００３】
従来の膨脹式救命胴衣は、耐候性を確保するとともに膨脹式救命胴衣を着用するためのカバー部材と、ガス充填装置を備えた気室部材とが一体に構成されている。すなわち、カバー部材と気室部材とを縫製や溶着により固定してあるものが一般的であった。
【特許文献１】特開２００４−８２８８４号公報
【発明の開示】
【発明が解決しようとする課題】
【０００４】
しかしながら、このような従来の膨脹式救命胴衣は、カバー部材と気室部材とが一体に構成してあるため、例えばカバー部材が汚れた場合は、カバー部材だけでなく気室部材も含めて膨脹式救命胴衣全体を交換しなければならず、また、例えば気室部材に不具合が生じた場合も、同様に膨脹式救命胴衣全体を交換しなければならないという問題があった。
【０００５】
この発明の課題は、上記従来のもののもつ問題点を排除して、カバー部材または気室部材のいずれか一方に不具合が生じた場合、その不具合が生じたカバー部材または気室部材の一方だけを交換することのできる膨脹式救命胴衣を提供することにある。
【課題を解決するための手段】
【０００６】
この発明は上記課題を解決するものであって、請求項１に係る発明は、首の後ろから両胸にかけて着用する膨脹式救命胴衣であって、着用されるカバー部材と、気室部材とを取り外し可能に構成した膨脹式救命胴衣である。
【０００７】
これにより、例えばカバー部材が汚れた場合など、カバー部材または気室部材のいずれか一方に不具合が生じた場合、その不具合が生じたカバー部材または気室部材の一方だけを交換することができる。また、気室部材の耐候性を向上させることが可能になる。
【０００８】
請求項２に係る発明は、請求項１記載の発明において、前記気室部材の容積を、左胸側と右胸側とで非対称に構成した膨脹式救命胴衣である。
【０００９】
これにより、左胸側または右胸側のいずれか容積の大きい方の浮力が大きくなることで、例えば俯せ状態の着用者を仰向けに反転させて呼吸を確保することが可能になる。
【００１０】
請求項３に係る発明は、請求項１または請求項２記載の発明において、前記カバー部材を、着用者に接触する内側材は柔軟性のある生地で構成し、外側材は外表面が耐久性、耐候性、耐摩耗性、耐貫通性などのある生地で構成した膨脹式救命胴衣である。
【００１１】
これにより、内側材および外側材をいずれも耐候性のある生地で構成する場合に比べて、着心地・着用感を向上させることができる。また、軽量化を実現することが可能になる。
【００１２】
請求項４に係る発明は、請求項１〜３のいずれかに記載の発明において、前記気室部材を、２室に構成した膨脹式救命胴衣である。
【００１３】
これにより、気室部材の安全性が向上し、救命胴衣としての信頼性を向上させることが可能になる。
【００１４】
請求項５に係る発明は、請求項４記載の発明において、前記気室部材は、内部に設けた隔壁によって、膨脹状態にあるとき着用者に近い内側室と、着用者から遠い外側室との２室に構成した膨脹式救命胴衣である。
【００１５】
これにより、気室部材の２室をそれぞれ別々に構成する場合に比べて、材料の使用量が少ないため軽量化を図ることができる。また、気室部材の２室をそれぞれ別々に構成する場合に比べて、重量を増やすことなく気室容積を拡大して浮力を増大させることが可能になる。
【００１６】
請求項６に係る発明は、請求項５記載の発明において、前記気室部材は、前記内側室または前記外側室の少なくとも一方に自動開栓式ガス充填装置を備えた膨脹式救命胴衣である。
【００１７】
これにより、前記内側室または前記外側室の少なくとも一方を自動的に膨脹させることが可能になる。
【００１８】
請求項７に係る発明は、請求項５記載の発明において、前記気室部材は、前記内側室および前記外側室ともに、左胸側と右胸側とで容積を非対称に構成し、左胸側または右胸側いずれか容積の小さい側における前記内側室または前記外側室のいずれか一方に自動開栓式ガス充填装置を備え、かつ、左胸側または右胸側いずれか容積の大きい側における前記内側室または前記外側室の他方に手動開栓式ガス充填装置を備えた膨脹式救命胴衣である。
【００１９】
このように、左胸側または右胸側いずれか容積の小さい側に比較的重い自動開栓式ガス充填装置を備え、かつ、左胸側または右胸側いずれか容積の大きい側に比較的軽い手動開栓式ガス充填装置を備えることにより、容積が小さいうえに比較的重い側に比べて、容積が大きいうえに比較的軽い側の浮力が大きくなることで、例えば俯せ状態の着用者を仰向けに反転させて呼吸を確保する性能をさらに向上させることが可能になる。
【００２０】
請求項８に係る発明は、請求項１〜７のいずれかに記載の発明において、前記カバー部材は、非膨脹状態にある前記気室部材を内部に収納した閉鎖状態と、前記気室部材の膨脹にともなって開放される開放状態とを、開閉可能に構成した膨脹式救命胴衣である。
【００２１】
これにより、カバー部材が閉鎖状態にあるときは、気室部材の耐候性の劣化を防止して、気室部材の耐候性を向上させることが可能になる。
【００２２】
請求項９に係る発明は、請求項１〜８のいずれかに記載の発明において、前記カバー部材の左右両胸部の下端部と、前記気室部材の左右両胸部の下端部とを、着脱可能に構成した膨脹式救命胴衣である。
【００２３】
これにより、例えばカバー部材が汚れた場合など、カバー部材または気室部材のいずれか一方に不具合が生じた場合、その不具合が生じたカバー部材または気室部材の一方だけを交換することが可能になる。
【発明の効果】
【００２４】
この発明は以上のように、首の後ろから両胸にかけて着用する膨脹式救命胴衣であって、着用されるカバー部材と、気室部材とを取り外し可能に構成したので、カバー部材または気室部材のいずれか一方に不具合が生じた場合、その不具合が生じたカバー部材または気室部材の一方だけを交換することができる効果がある。
【発明を実施するための最良の形態】
【００２５】
この発明の実施の形態を、図面を参照して説明する。
【００２６】
図１は、この発明による膨脹式救命胴衣の一実施形態を示す概略的正面図であり、この膨脹式救命胴衣１は、首の後ろから両胸にかけて着用されるカバー部材１０と、図２に示す気室部材２０とを取り外し可能に構成したものである。
【００２７】
カバー部材１０は、図３に示すように、実質的に門形の形状を有していて、図４に示すように、内側材１１と外側材１６とで構成されている。
【００２８】
すなわち、図４に示すように、着用者に接触する内側材１１は、例えばナイロンなどの柔軟性のある生地で構成し、外側材１６は、例えばナイロンなどに樹脂コーティングすることで外表面が耐久性、耐候性、耐摩耗性、耐貫通性などのある生地で構成してある。
【００２９】
これにより、内側材１１および外側材１６をいずれも耐候性のある生地で構成する場合に比べて、着心地・着用感を向上させることができ、また、軽量化を実現することができる。
【００３０】
このような内側材１１と外側材１６とを、門形形状の内側縁どうしを縫製することで一体に構成し、また、内側材１１の外側縁に沿ってマジックテープ（登録商標）などの面ファスナ１２を取り付け、外側材１６にも外側縁に沿って同様の面ファスナ１７を取り付け、面ファスナ１２，１７どうしを着脱することで、カバー部材１０は、内部に空間をもって開閉可能に構成される。
【００３１】
すなわち、カバー部材１０は、通常は、非膨脹状態にある気室部材２０を内部に折り畳み収納した閉鎖状態にあり、緊急時に、気室部材２０の膨脹にともなってその膨脹力で面ファスナ１２，１７が外れて開放されるようになっている。
【００３２】
これにより、カバー部材１０が閉鎖状態にあるときは、気室部材２０の耐候性の劣化を防止して、気室部材２０の耐候性を向上させることができる。
【００３３】
気室部材２０は、図５に示すように、変形した門形の形状を有していて、左胸側２０Ｌと右胸側２０Ｒとで容積が非対称に構成されている。
【００３４】
すなわち、気室部材２０は、図５で右側に位置する着用者の左胸側２０Ｌの幅に比べて、図５で左側に位置する着用者の右胸側２０Ｒの幅が広く、容積が大きく構成されている。
【００３５】
これにより、気室部材２０が膨脹したとき、着用者の左胸側２０Ｌに比べて容積の大きい右胸側２０Ｒの浮力が大きくなることで、例えば俯せ状態の着用者を仰向けに反転させて呼吸を確保することができる。
【００３６】
また、気室部材２０は、図６に示すように、２室に構成してある。すなわち、気室部材２０は、内部に設けた隔壁２５（２５Ｌ，２５Ｒ）によって、膨脹状態にあるとき着用者に近い内側室２１（２１Ｌ，２１Ｒ）と、着用者から遠い外側室２６（２６Ｌ，２６Ｒ）との２室に構成されている。
【００３７】
この２室構成は、左胸側２０Ｌおよび右胸側２０Ｒだけでなく、その中間部（着用者の首の後ろ側）２０Ｃを含めて、気室部材２０全体に及ぶ。
【００３８】
これにより、気室部材２０の安全性が向上し、救命胴衣としての信頼性を向上させることができる。
【００３９】
また、気室部材２０の２室２１，２６をそれぞれ別々に構成する場合に比べて、材料の使用量が少ないため軽量化を図ることができる。また、気室部材２０の２室２１，２６をそれぞれ別々に構成する場合に比べて、重量を増やすことなく気室容積を拡大して浮力を増大させることができる。
【００４０】
また、気室部材２０は、図５、図６に示すように、外側室２６に、自動開栓式ガス充填装置２７と、補助送気装置２８とを備えている。
【００４１】
すなわち、自動開栓式ガス充填装置２７は、右胸側２０Ｒの外側室２６Ｒに比べて容積の小さい左胸側２０Ｌの外側室２６Ｌに設けられ、また、補助送気装置２８は、これとは反対の右胸側２０Ｒの外側室２６Ｒに設けられる。
【００４２】
自動開栓式ガス充填装置２７は、水に濡れると、ガス（ＣＯ２）ボンベを自動的に開栓して外側室２６を膨脹させるものである。
【００４３】
補助送気装置２８は、外側室２６内のガス圧が低下したような場合に、着用者が息を吹き込むことができるものである。また、補助送気装置２８は、外側室２６にガスボンベからのガスが入り過ぎた場合に、余分なガスを逃がすためのオーバプレッシャバルブを備えている。
【００４４】
また、気室部材２０は、図７、図８に示すように、内側室２１に、手動開栓式ガス充填装置２２と、補助送気装置２３とを備えている。
【００４５】
すなわち、手動開栓式ガス充填装置２２は、左胸側２０Ｌの内側室２１Ｌに比べて容積の大きい右胸側２０Ｒの内側室２１Ｒに設けられ、また、補助送気装置２３は、これとは反対の左胸側２０Ｌの内側室２１Ｌに設けられる。
【００４６】
手動開栓式ガス充填装置２２は、着用者が紐を引くことで、ガス（ＣＯ２）ボンベを開栓して内側室２１を膨脹させるものである。
【００４７】
補助送気装置２３は、内側室２１内のガス圧が低下したような場合に、着用者が息を吹き込むことができるものである。また、補助送気装置２３は、内側室２１にガスボンベからのガスが入り過ぎた場合に、余分なガスを逃がすためのオーバプレッシャバルブを備えている。
【００４８】
これにより、気室部材２０は、着用者が海中や水中に落下したとき、２室構成のうち外側室２６を自動的に膨脹させることができる。
【００４９】
また、自動開栓式ガス充填装置２７の重量は比較的重く、手動開栓式ガス充填装置２２の重量は比較的軽いものであり、気室部材２０が膨脹したとき、もともと着用者の左胸側２０Ｌに比べて容積が大きく浮力の大きい右胸側２０Ｒに、比較的軽い手動開栓式ガス充填装置２２を配置し、これに比べて容積が小さく浮力の小さい左胸側２０Ｌに、比較的重い自動開栓式ガス充填装置２７を配置することで、左胸側２０Ｌと右胸側２０Ｒとの浮力の差がより大きくなる。
【００５０】
これにより、気室部材２０が膨脹したとき、着用者の左胸側２０Ｌに比べて右胸側２０Ｒの浮力が顕著に大きくなることで、例えば俯せ状態の着用者を仰向けに反転させる復正性能が向上し、着用者の呼吸を確保する確実性を高めることができる。
【００５１】
さらに、気室部材２０は、図５に示すように、左胸側２０Ｌおよび右胸側２０Ｒの下端部に留め具２９Ｌ、２９Ｒを備えている。
【００５２】
図９、図１０に示すように、カバー部材１０は、左右両胸部の下端部にベルト１９Ｌ，１９Ｒ（図示省略）を備え、カバー部材１０のベルト１９Ｌ，１９Ｒを気室部材２０の留め具２９Ｌ、２９Ｒに固定することで、カバー部材１０と気室部材２０とが取り付けられ、また、ベルト１９Ｌ，１９Ｒを留め具２９Ｌ、２９Ｒから外すことで、カバー部材１０と気室部材２０とが取り外せるようになっている。
【００５３】
これにより、例えばカバー部材１０が汚れた場合など、カバー部材１０または気室部材２０のいずれか一方に不具合が生じた場合、その不具合が生じたカバー部材１０または気室部材２０の一方だけを交換することができる。
【００５４】
この膨脹式救命胴衣１は、図１１、図１２に示すように、カバー部材１０の最上部に背当て部材３０が結合されている。また、カバー部材１０の左胸部の下端部内側にウェストベルト３１が固定され、このウェストベルト３１の一端を、背当て部材３０の下端部に通したうえカバー部材１０の右胸部の下端部内側を通して正面に導いた端部と、ウェストベルト３１の他端とをバックル３２で留めることで、着用者の上半身に着用するようになっている。
【００５５】
着用した膨脹式救命胴衣１が膨脹した状態を図１３に概略的に示す。
【００５６】
上記のような膨脹式救命胴衣１は、外洋を広く運航する大型船舶に備え付けて外洋での災害にも充分対応することができるように、沿岸・近海用の船舶で使用する救命胴衣が有する基準の浮力（７．５ｋｇ）の約２倍（１５ｋｇ）という大きい浮力を有している。
【００５７】
すなわち、気室部材２０は、自動開栓式ガス充填装置２７が外側室２６を膨脹させるとともに、手動開栓式ガス充填装置２２が内側室２１を膨脹させたとき、基準の約２倍の浮力を発生する容積を有している。
【００５８】
また、上記の膨脹式救命胴衣１は、災害時にだけ着用するのではなく、船上作業中に着用していても作業の邪魔にならないように、小型化、軽量化している。
【００５９】
すなわち、図５〜図８に示すように、左胸側２０Ｌの外側室２６Ｌに設けられる自動開栓式ガス充填装置２７と、内側室２１Ｌに設けられる補助送気装置２３とは、互いに重ならないように位置をずらして配置してある。同様に、右胸側２０Ｒの内側室２１Ｒに設けられる手動開栓式ガス充填装置２２と、外側室２６Ｒに設けられる補助送気装置２８とは、互いに重ならないように位置をずらして配置してある。
【００６０】
これにより、気室部材２０を折り畳む際に折り畳みやすく、コンパクトにまとめてカバー部材１０に収納することができる。
【００６１】
また、上記の膨脹式救命胴衣１は、着用したまま船上でのさまざまな作業に従事することにより、カバー部材１０だけが汚れたり破損したりする場合があるが、カバー部材１０と気室部材２０とが取り外せるようになっているため、カバー部材１０だけを取り替えることができる。
【００６２】
また、図示してないが、上記の膨脹式救命胴衣１は、カバー部材１０の左右両胸部の下端部に股ベルト用の留め具を備えておき、背当て部材３０の下端部中央に通した股ベルトを股下に通したうえその両端を前記留め具に固定することで、着用者が海中や水中に落下したとき、膨脹式救命胴衣１が頭上へ脱げてしまうことを確実に防止することが可能である。
【００６３】
なお、上記の実施形態では、気室部材２０が膨脹したとき、着用者の左胸側２０Ｌに比べて右胸側２０Ｒの浮力が大きくなるように構成したが、これに限定するものでなく、着用者の右胸側２０Ｒに比べて左胸側２０Ｌの浮力が大きくなるように構成してもよい。
【図面の簡単な説明】
【００６４】
【図１】この発明による膨脹式救命胴衣の一実施形態を示す概略的正面図である。
【図２】図１の膨脹式救命胴衣に用いる気室部材の概略的正面図である。
【図３】カバー部材の拡大正面図である。
【図４】図３のIV−IV線に沿った断面図である。
【図５】気室部材の拡大正面図である。
【図６】図５のVI−VI線に沿った断面図である。
【図７】気室部材の拡大背面図である。
【図８】図７のVIII−VIII線に沿った断面図である。
【図９】カバー部材と気室部材とを取り外した状態を示す要部の拡大図である。
【図１０】カバー部材と気室部材とを取り付けた状態を示す要部の拡大図である。
【図１１】図１の膨脹式救命胴衣の着用時の状態を示す前方から見た斜視図である。
【図１２】図１の膨脹式救命胴衣の着用時の状態を示す後方から見た斜視図である。
【図１３】図１の膨脹式救命胴衣を着用して膨脹した状態を示す概略的側面図である。
【符号の説明】
【００６５】
１  膨脹式救命胴衣
１０  カバー部材
１１  内側材
１２  面ファスナ
１６  外側材
１７  面ファスナ
１９Ｌ，１９Ｒ  ベルト
２０  気室部材
２０Ｌ  左胸側
２０Ｒ  右胸側
２１，２１Ｌ，２１Ｒ  内側室
２２  手動開栓式ガス充填装置
２３  補助送気装置
２５  隔壁
２６，２６Ｌ，２６Ｒ  外側室
２７  自動開栓式ガス充填装置
２８  補助送気装置
２９Ｌ，２９Ｒ  留め具
３０  背当て部材
３１  ウェストベルト
３２  バックル
【図１】
2005343392.tif 000003
【図２】
2005343392.tif 000004
【図３】
2005343392.tif 000005
【図４】
2005343392.tif 000006
【図５】
2005343392.tif 000007
【図６】
2005343392.tif 000008
【図７】
2005343392.tif 000009
【図８】
2005343392.tif 000010
【図９】
2005343392.tif 000011
【図１０】
2005343392.tif 000012
【図１１】
2005343392.tif 000013
【図１２】
2005343392.tif 000014
【図１３】
2005343392.tif 000015